(57)【要約】【課題】  良好なフィット感が得られる手袋を容易に製造することができる手袋用抜型を提供する。【解決手段】  繊維生地から手袋用のパーツを打ち抜くための手袋用抜型１であって、  手袋の各指部をそれぞれ形成する指形成部１１ａ〜１４ａ（，１１ｂ〜１４ｂ）を複数有する指形成部本体１０を備えており、指形成部本体１０は、１本の帯状のトムソン刃を折り曲げ加工して複数の指形成部１１ａ〜１４ａを連続して形成することにより、隣接する指形成部１１ａ〜１４ａの間に隙間を有する。【選択図】  図１
0003203648.tif 000002
【実用新案登録請求の範囲】
【請求項１】
繊維生地から手袋用のパーツを打ち抜くための手袋用抜型であって、
手袋の各指部をそれぞれ形成する指形成部を複数有する指形成部本体を備えており、
前記指形成部本体は、１本の帯状のトムソン刃を折り曲げ加工して複数の前記指形成部を連続して形成することにより、隣接する前記指形成部同士の間に隙間を有する手袋用抜型。
【請求項２】
前記指形成部は、形成される手袋の指元部に相当する指元形成部の幅に対して、形成される手袋の指先部に相当する指先形成部の幅が小さい請求項１に記載の手袋用抜型。
【考案の詳細な説明】
【技術分野】
【０００１】
本考案は、手袋用抜型に関し、より詳しくは、繊維生地から手袋用のパーツを打ち抜くための手袋用抜型に関する。
【背景技術】
【０００２】
繊維生地を手袋状に形成する手段として、特許文献１に開示されているように、縫い目なく編み上げるシームレス編の他に、繊維生地から手袋のパーツを抜型で抜き取り、これらを縫い合わせて手袋状に形成する方法が知られている。繊維生地から手袋用のパーツを打ち抜くための抜型は、例えば、図３に示す構成のものが一般的である。
【０００３】
図３に示す従来の手袋用抜型５０は、手袋の指部を形成するための抜型であり、手袋の親指部を形成する親指形成部５１と、手袋の親指部以外の４本の指部を形成する指形成部本体６０とを備えている。親指形成部５１および指形成部本体６０は、帯状のトムソン刃を折り曲げ加工して形成されている。
【０００４】
指形成部本体６０は、人差指形成部６１ａ，６１ｂと、中指形成部６２ａ，６２ｂと、薬指形成部６３ａ，６３ｂと、小指形成部６４ａ，６４ｂとを備えている。人差指形成部６１ａ，６１ｂ、中指形成部６２ａ，６２ｂ、薬指形成部６３ａ，６３ｂ、および小指形成部６４ａ，６４ｂは、左右で一対となっており、繊維生地を打ち抜いた後に中心線Ｃで折り返して縁部を縫合することにより、それぞれ手袋の人差指部、中指部、薬指部および小指部を形成する。
【０００５】
指形成部本体６０の一方側に配置された人差指形成部６１ａ、中指形成部６２ａ、薬指形成部６３ａ、および小指形成部６４ａは、トムソン刃の一部を共有するように互いに接合されている。指形成部本体６０の他方側に配置された人差指形成部６１ｂ、中指形成部６２ｂ、薬指形成部６３ｂ、および小指形成部６４ｂについても同様である。
【先行技術文献】
【特許文献】
【０００６】
【特許文献１】特開２０１３−６７８７９号公報
【考案の概要】
【考案が解決しようとする課題】
【０００７】
上記のように、従来の手袋用抜型５０は、人差指形成部６１ａ（，６１ｂ）、中指形成部６２ａ（，６２ｂ）、薬指形成部６３ａ（，６３ｂ）、および小指形成部６４ａ（，６４ｂ）の間が、いずれもトムソン刃を共有する一枚刃となっているため、手袋を形成したときに、各指の指股部が開き難いだけでなく、各指が指元部から指先部まで一定の幅にならざるを得ないという問題があった。このため、手袋を装着した時の作業性や装着感の向上が求められていた。
【０００８】
そこで、本考案は、良好なフィット感が得られる手袋を容易に製造することができる手袋用抜型の提供を目的とする。
【課題を解決するための手段】
【０００９】
本考案の前記目的は、繊維生地から手袋用のパーツを打ち抜くための手袋用抜型であって、手袋の各指部をそれぞれ形成する指形成部を複数有する指形成部本体を備えており、前記指形成部本体は、１本の帯状のトムソン刃を折り曲げ加工して複数の前記指形成部を連続して形成することにより、隣接する前記指形成部同士の間に隙間を有する手袋用抜型により達成される。
【００１０】
この手袋用抜型において、前記指形成部は、形成される手袋の指元部に相当する指元形成部の幅に対して、形成される手袋の指先部に相当する指先形成部の幅が小さいことが好ましい。
【考案の効果】
【００１１】
本考案によれば、良好なフィット感が得られる手袋を容易に製造することができる手袋用抜型を提供することができる。
【図面の簡単な説明】
【００１２】
【図１】本考案の一実施形態に係る手袋用抜型の平面図である。
【図２】図１に示す手袋用抜型の要部拡大図である。
【図３】従来の手袋用抜型の平面図である。
【考案を実施するための形態】
【００１３】
以下、本考案の一実施形態について添付図面を参照しつつ説明する。図１は、本考案の一実施形態に係る手袋用抜型の平面図である。図１に示すように、手袋用抜型１は、手袋の親指部を形成する親指形成部２と、手袋の親指部以外の４本の指部を形成する指形成部本体１０とを備えており、これら親指形成部２および指形成部本体１０は、支持部材３に固定されている。親指形成部２の構成は、図３に示す従来の手袋用抜型５０の親指形成部５２の構成と同様である。
【００１４】
指形成部本体１０は、人差指形成部１１ａ，１１ｂと、中指形成部１２ａ，１２ｂと、薬指形成部１３ａ，１３ｂと、小指形成部１４ａ，１４ｂとを備えている（以下これらを総称して、単に「指形成部」という場合がある）。人差指形成部１１ａ，１１ｂ、中指形成部１２ａ，１２ｂ、薬指形成部１３ａ，１３ｂ、および小指形成部１４ａ，１４ｂは、左右で一対となっており、１本の帯状のトムソン刃を折り曲げ加工することにより、複数の指形成部１１ａ〜１４ａ，１１ｂ〜１４ｂが連続的に形成されている。
【００１５】
本実施形態の手袋用抜型１によれば、指形成部本体１０により繊維生地を打ち抜いた後、この生地を中心線Ｃで折り返して縁部を縫合することにより、手袋の人差指部、中指部、薬指部および小指部が形成される。また、これと同時に、親指形成部２により手袋の親指部が形成される。こうして得れらた手袋のパーツを、別途得られた手袋の他のパーツ（掌部および甲部など）と縫合することにより、手袋が完成する。繊維生地は、特に限定されるものではないが、例えば、羊毛、綿、麻などの天然繊維の生地や、ポリエステル繊維、アクリル繊維などの合成繊維の生地を挙げることができる。
【００１６】
本実施形態の手袋用抜型１は、各指形成部１１ａ〜１４ａ，１１ｂ〜１４ｂが、１本の帯状のトムソン刃を折り曲げ加工することにより連続的に形成されているので、各指形成部１１ａ〜１４ａ，１１ｂ〜１４ｂは、従来のように隣接するもの同士でトムソン刃を共有する構成ではなく、それぞれが独立した刃を有している。すなわち、隣接する指形成部１１ａ〜１４ａ，１１ｂ〜１４ｂ同士の間は、従来のように一枚刃ではなく二枚刃となる。
【００１７】
各指形成部１１ａ〜１４ａ，１１ｂ〜１４ｂは、図２に要部拡大図で示すように、隣接するもの同士の間に隙間Ｓが形成されている。これにより、製造された手袋の指股部の開きを良好にすることができ、使用者の作業性を向上させることができると共に、手袋の各指部の形状を使用者の指の形状に精度良くフィットさせることができる。
【００１８】
各指形成部１１ａ〜１４ａ，１１ｂ〜１４ｂは、形成される手袋の指元部に相当する指元形成部の幅に対して、形成される手袋の指先部に相当する指先形成部の幅が小さいことが好ましい。例えば、図２に示す中指形成部１２ａについては、指元形成部１２１ａの幅（両側の指股のうち指先に近い側の指股における幅）Ｗ１に対して、指先形成部１２２ａの幅（指の第１関節に相当する部分の幅）Ｗ２を小さくして、形成された手袋の指先を細くすることが好ましい。これにより、使用者のフィット感をより向上させると共に、指先をきれいに見せることができ、手袋が女性用の場合に特に効果的である。ここで、上述した指元形成部１２１ａおよび指先形成部１２２ａの幅とは、中指形成部１２ａの指元から指先に向けた延在方向（本実施形態の場合は図１に示す中心線Ｃの方向）に対して、平面視で直交する方向の刃先の間隔である。
【符号の説明】
【００１９】
１  手袋用抜型
１０  指形成部本体
１１ａ，１１ｂ  人差指形成部
１２ａ，１２ｂ  中指形成部
１３ａ，１３ｂ  薬指形成部
１４ａ，１４ｂ  小指形成部
【図１】
0003203648.tif 000003
【図２】
0003203648.tif 000004
【図３】
0003203648.tif 000005